(57)【特許請求の範囲】
【請求項１】
自転車用の錠と、この錠を開閉する鍵との組み合わせであって、前記錠は開錠時には常時鍵が鍵穴に装着され、閉錠時に鍵が鍵穴から離脱するようにしたものにおいて、
前記錠はワイヤ錠とし、ワイヤの長手方向に沿ってバッテリーを電源とする安全装置としての光源を備え、
ワイヤは、人が肩にたすき掛けし得る長さとし、その基端部の表裏にそれぞれワイヤの先端部が挿入固定される穴が設けられ、一方の穴は閉錠時にワイヤの先端を挿入して閉錠するための鍵穴とし、他方の穴は開錠時にワイヤの先端を挿入してワイヤの先端を仮止めするためのものとし、
前記鍵は充電可能なバッテリーを備え、
前記錠に鍵を装着したときに両者が電気的に接続されるようにした、
自転車用錠装置
【発明の詳細な説明】
【技術分野】
【０００１】
この発明は、夜間における安全装置の機能を兼ね備えた自転車用錠装置に関するものである。
【背景技術】
【０００２】
ワイヤ錠や馬蹄錠などの自転車用の錠において、蓄光剤や反射テープを用いて夜間の安全装置の機能を兼ねるようにしたものは種々提案されている。
そして、自転車用のワイヤ錠において、ワイヤ部分に光源を備えたものとしては、ワイヤに取り付けた光源と光ファイバーを用いたものが実開平２−１０３４７６号として提案されている。しかしながら、この考案では光源の電力についての配慮はなされていない。
また、ワイヤを使用者が肩にたすき掛けできる長さとしたものとしては、実用新案登録第３０７７１１８号がある。しかしながら、この考案は反射テープを用いるものであって、光源を備えるものではない。【０００３】
反射テープによって自動車からの視認性を高めて安全装置として機能させる場合、自動車がヘッドライトを点灯していなければ、自動車運転手からの視認性が向上しない。すなわち、自動車運転手から自転車の視認性が低下しているにもかかわらず多くの自動車がヘッドライトを点灯していない薄暮の時間帯には、反射テープは安全装置として機能しない。
薄暮の時間帯に安全装置として機能するためには、自転車錠に光源を装着する必要がある。しかしながら、光源を装着した場合、バッテリーのメンテナンスへの配慮が必要となるが、この点に配慮された提案はない。
【特許文献１】実開平２−１０３４７６号公報
【特許文献２】実用新案登録第３０７７１１８号公報
【発明の開示】
【発明が解決しようとする課題】
【０００４】
この発明は、自転車用の錠に光源を備えつつ、その電源となるバッテリーのメンテナンスを容易にすることを課題とするものである。
【課題を解決するための手段】
【０００５】
この発明の自転車用錠装置は、自転車用の錠と、この錠を開閉する鍵との組み合わせであって、前記錠はバッテリーを電源とする光源を備え、前記鍵は充電可能なバッテリーを備え、前記錠に鍵を装着したときに両者が電気的に接続されるようにしたものである。
前記自転車用の錠は、ワイヤ錠である。
前記光源は前記鍵に備えられたバッテリーを電源とするものであり、錠に鍵を装着したとき、すなわち錠が解放されているとき、に両者が電気的に接続されるようにしてある。光源は、実施例に示す有機ＥＬに限られるものではなく、バッテリーで駆動するものであればよい。
【０００６】
錠はワイヤ錠とし、ワイヤの長手方向に沿って光源を配設することにより、視認性を高めることができる。ワイヤは、人が肩にたすき掛けし得る長さ、例えば１３０センチ程度とする。
光源の配設態様は、実施例に示すようにワイヤ錠の全長に亘って連続的に配設する他、断続的に又は散点状に配設してもよい。また、全長に亘ることは必須でなく、半分の長さ程度のみに配設しても使用することができる。
更に、ワイヤの基端部の表裏にそれぞれワイヤの先端部が挿入固定される穴を設ける。この場合、 一方の穴は閉錠時にワイヤの先端を挿入して閉錠するための鍵穴とし、他方の穴は開錠時にワイヤの先端を挿入してワイヤの先端を仮止めするためのものとする。
ワイヤは、断面形状を縦長の楕円状その他やや扁平な形状とすることにより、ワイヤを無理なく曲げることができ、ワイヤの先端を穴に装着しやすくなる。
【発明の効果】
【０００７】
この発明によれば、以下の効果を得ることができる。
１  錠はバッテリーを電源とする光源を備えているので、自動車のヘッドライトが点灯されなくとも光を発し、安全装置としての機能を発揮することができる。
２  光源は鍵に備えた充電可能なバッテリーを電源とするものであるから、鍵が錠と分離する閉錠時にバッテリーを充電することができ、バッテリーのメンテナンスがきわめて容易である。
３  ワイヤの長手方向に沿って光源を配設し、ワイヤをたすき掛けできるようにすることにより、よく目立つ視認性のよい警告表示とすることができる。
４  ワイヤの基端部に二つの穴を設けて、一方を開錠時に仮止めする穴とすることにより、自転車走行中にワイヤが異物と接触したときに、ワイヤ先端が穴から容易に離脱する。そのために、自転車運転者の安全が図られる。
【図面の簡単な説明】
【０００８】
【図１】この発明実施例の斜視図
【図２】同じく基端部の一部縦断面図
【図３】同じく基端部の斜視図
【図４】同じくワイヤ錠先端部の縦断面図
【図５】閉錠状態の斜視図
【図６】使用状態の正面図
【図７】解錠状態の斜視図
【図８】鍵の鍵本体側の斜視図
【図９】同じくＵＳＢ端子側のＵＳＢ端子を立ち上げた状態の斜視図
【図１０】充電中の斜視図
【図１１】他の断面形状を示す断面図
【発明を実施するための最良の形態】
【０００９】
以下この発明の実施例を説明する。
この実施例の自転車用錠装置は、ワイヤ錠Ａと鍵Ｂとで構成されている。
前記ワイヤ錠Ａは断面縦長の楕円状であって、鍵穴のある基端から先端に向けて次第に細くなっている。全長は約１３０センチ程度であって、後に述べるように、ループを形成した状態で使用者が肩にたすき掛けできるような長さとしてある。
前記ワイヤ錠Ａは、可撓性のあるワイヤ１をシリコーン樹脂２で被覆して構成してある。そして、その長軸側の一面３ａ（以下、この面を「表側面」といい、反対側の面を「裏側面」という）に、そのほぼ全長に亘って光源としての有機ＥＬテープ４が装着してあり、このテープ４に沿って、反射部材５が装着してある。前記反射部材５は、ビームライト塗料（アクリル樹脂蛍光塗料や塗料に再帰反射性のガラスビーズを混合したもの）の塗布ないしは、反射材（ポリエステルやナイロン、難燃コットン、スコッチライト（登録商標）など）のはめ込み、張り込みによって構成する。【００１０】
前記ワイヤ錠Ａの先端には閉錠時にロックされる係止鉤６が形成してあり、先端部には仮止め用の磁石７が装着してある。【００１１】
前記ワイヤ錠Ａの基端部において、表面３ａには閉錠時に前記係止鉤６が挿入されて係止するロック穴８が、表側面３ａの表面に対してほぼ直角に設けてあり、裏側面３ｂには閉錠時に前記磁石７が挿入されて係止する仮止め穴９が、ワイヤ錠の先端に向けてやや傾斜して設けてある。
前記仮止め用の穴９は、軽い衝撃で抜けやすい係止機構を備え、係止鉤６が抜けやすいように、径をやや大きく余裕のあるサイズとしてある。また、穴の底部には前記仮止め用の磁石７が吸着するように磁性体を備えている。
前記ワイヤ錠１の基端面１０には、鍵穴１１と二つの電気端子１２ａ,１２ｂが設けてあり、二つの電気端子１２は、後述する鉤Ｂからの電気を受けて前記有機ＥＬテープ４に電気的に接続してある。【００１２】
鍵Ｂは、前記ワイヤ錠Ａと同じ断面形状とした把持部２１の端面に鍵本体２２を取り付けたものである。前記把持部２１の内部には充電可能なバッテリー（図示しない）が装着してある。また鍵本体２２が取り付けられた端面には、前記ワイヤ錠Ａの基端面１０に設けられた二つの電気端子１２と接触する二つの電気端子２３ａ、２３ｂが設けてある。この構成により、前記バッテリーと有機ＥＬテープ４とは、電気端子１２，２３を介して、電気的に接続されている。
図中、符号２４は電源スイッチである。【００１３】
前記把持部２１の鍵本体２２と反対側の端面にはバッテリー充電のためのＵＳＢ端子２５が取り付けてある。
把持部２１の端面にＵＳＢ端子取り付け用の溝２６が形成してあり、ＵＳＢ端子２５は取付軸を介して溝２６の端部に起伏可能に取り付けてある。
前記把持部２１のＵＳＢ端子側の面は傾斜面としてあり、側面視台形をなしている（図１０参照）。
鍵Ｂには充電池、サーキットボード、LEDライトなどが内蔵されるが、その中で最も充電池の重量が重くなると思われる。そこで、充電池は鍵の上下面の中心に設置するのではなく、裏面側（台形底辺部）に設置するといった人間工学的にデザインとして、説明書などがなくとも、使用者が感覚的に重みのある裏面を下にして鍵ＢをパソコンＰに接続できるようにしてある。
鍵Ｂの端面を傾斜させて充電時に鍵Ｂが下向き傾斜をなすことと、底辺部にUSBへの差し込み端子が設置されることで、パソコンＰ等に接続したUSB差し込み端子への無理な荷重負担を除くとともに、無理な荷重がかかる場合、USB端子を痛めることなく充電中に鍵Ｂが抜けやすくなる。【００１４】
上記において、ワイヤ錠Ａの形状を断面楕円状としたが、図１１に示すような形状も楕円状と同様に「扁平」であり、同様の効果を得ることができる。【００１５】
以下上記実施例に示す錠装置の使用方法を説明する。【００１６】
（開錠時）
開錠時は、ワイヤ錠Ａの先端を仮止め穴９に挿入し、磁石７で吸着させて、ワイヤ錠をループ状に保持する。このとき、光源である有機ＥＬテープ４はループ状をなしたワイヤ錠の外側に位置している。そして、鍵Ｂは鍵穴１１に挿入され、ワイヤ錠Ａの有機ＥＬテープ４は鍵Ｂのバッテリーと通電しており、電源スイッチ２４をＯＮにすると光源が発光する。
この状態で自転車の運転者Ｂは、ループ状をなしているワイヤ錠を肩にたすき掛けして自転車を運転する。有機ＥＬテープ４が発光しているので、薄暮時であって自動車がヘッドライトを点灯していなくとも、自動車運転手は光を視認することができ、警告灯として機能する。
夜間には自動車がヘッドライトを点灯するので、電源をＯＦＦとして反射部材５の反射光のみでも警告機能を果たすことができる。【００１７】
ループ状に保持したとき、ワイヤ錠Ａの先端はリリースしやすい係止機構と磁石によって抜けやすいように止められている。すなわち、強固に固定されていない。
従前もワイヤ錠をループ状にして肩にたすき掛けして使用する場合があったが、ワイヤ錠が障害物に接触したときに使用者の首が絞められるような事故や、ワイヤが、車のミラーなどにひっかかり、自転車運転者が車に引きずられる、等の二次災害が生じるおそれがあった。
この実施例では、自転車走行中にワイヤ錠Ａが障害物に接触したときには、ワイヤ錠Ａの先端の係止は解除される。したがって、上記のような事故の発生を未然に防止することができる。この実施例では仮止め穴９を斜めに設けたので、いっそう外れやすい。【００１８】
（閉錠時）
閉錠時は、ワイヤ錠Ａの先端をロック穴８に挿入してロックする。このとき、ワイヤ錠Ａは有機ＥＬテープ４を内側にしてループが形成される。ロックの後、鍵Ｂを鍵穴１１から引き抜く。鍵Ｂは自由に持ち運ぶことができる。
鍵ＢにはＵＳＢ端子２５が取り付けてある。そこで、ＵＳＢ端子２５を立ち上げてパソコンのＵＳＢポート等に接続することにより、把持部２１に装着されたバッテリーを充電することができる。
前記把持部２１の端面は傾斜面としてある。そのために、本体部が薄いラップトップ型パソコンを使用して充電する際においても、把持部２１の鍵本体側がパソコンの接地面にぶつかるおそれを解消できる。
【産業上の利用可能性】
【００１９】
この発明によれば、自転車用の錠に発光光源を備えることにより、自動車のヘッドライトが点灯していない薄暮時においても自動車運転手に警告を視認させることができ、鍵に充電可能なバッテリーを装着することにより、バッテリーの充電を容易にするものであり、産業上の利用可能性を有するものである。
【符号の説明】
【００２０】
Ａ   ワイヤ錠
Ｂ    鍵
１    ワイヤ
２    シリコーン樹脂
４    有機ＥＬテープ
５    反射部材
６    係止鉤
７    磁石
８    ロック穴
９    仮止め穴
１０  基端面
１１  鍵穴
１２  電気端子
２１  把持部
２２  鍵本体
２３  電気端子
２５  ＵＳＢ端子
【要約】
この発明は、自転車用の錠に光源を備えつつ、その電源となるバッテリーのメンテナンスを容易にすることを課題とする。
この発明の自転車用錠装置は、自転車用の錠Ａと、この錠を開閉する鍵Ｂとの組み合わせであって、前記錠Ａはバッテリーを電源とする光源４を備え、前記鍵Ｂは充電可能なバッテリーを備え、前記錠Ａに鍵Ｂを装着したときに両者が電気的に接続されるようにしたものである。【図１】
0005953422.tif 000002
【図２】
0005953422.tif 000003
【図３】
0005953422.tif 000004
【図４】
0005953422.tif 000005
【図５】
0005953422.tif 000006
【図６】
0005953422.tif 000007
【図７】
0005953422.tif 000008
【図８】
0005953422.tif 000009
【図９】
0005953422.tif 000010
【図１０】
0005953422.tif 000011
【図１１】
0005953422.tif 000012